【手続補正書】
【提出日】平成17年5月18日(2005.5.18)
【手続補正１】
【補正対象書類名】明細書
【補正対象項目名】発明の名称
【補正方法】変更
【補正の内容】
【発明の名称】印刷制御方法及びセキュリティ印刷を制御するコンピュータ及び印刷制御プログラムが格納された記憶媒体
【手続補正２】
【補正対象書類名】明細書
【補正対象項目名】特許請求の範囲
【補正方法】変更
【補正の内容】
【特許請求の範囲】
【請求項１】
複数の画像形成装置と通信可能なセキュリティ印刷を制御するコンピュータにおける印刷制御方法であって、
前記複数の画像形成装置の機器情報を取得して、固有のパターン情報を付加画像として原画像に付加して印刷するセキュリティ機能を画像形成装置が備えているか判断する判断工程と、
前記判断工程で前記セキュリティ機能を画像形成装置が備えていると判断された場合に、当該画像形成装置で印刷すべき原画像の印刷データを生成する印刷データ生成工程とを含むことを特徴とする印刷制御方法。
【請求項２】
前記印刷データ生成工程は、前記判断工程で前記セキュリティ機能を画像形成装置が備えていないと判断された場合に、プリンタドライバを用いて原画像に前記固有のパターン情報であるセキュリティ情報の追加を行うセキュリティ情報追加工程を更に含むことを特徴とする請求項１記載の印刷制御方法。
【請求項３】
前記判断工程の判断結果に基づいて、出力先の画像形成装置を選択するための出力先リストを表示する表示工程を更に含み、
前記表示工程は、前記判断工程で前記セキュリティ機能を画像形成装置が備えていないと判断された場合に、前記セキュリティ機能を備えていない画像形成装置を前記出力先リストから除外し、前記セキュリティ機能を備えている画像形成装置を前記出力先リストに表示することを特徴とする請求項１記載の印刷制御方法。
【請求項４】
複数の画像形成装置と通信可能なセキュリティ印刷を制御するコンピュータであって、
前記複数の画像形成装置の機器情報を取得して、固有のパターン情報を付加画像として原画像に付加して印刷するセキュリティ機能を画像形成装置が備えているか判断する判断手段と、
前記判断手段で前記セキュリティ機能を画像形成装置が備えていると判断された場合に、当該画像形成装置で印刷すべき原画像の印刷データを生成する印刷データ生成手段とを備えることを特徴とするセキュリティ印刷を制御するコンピュータ。
【請求項５】
前記印刷データ生成手段は、前記判断手段で前記セキュリティ機能を画像形成装置が備えていないと判断された場合に、プリンタドライバを用いて原画像に前記固有のパターン情報であるセキュリティ情報の追加を行うセキュリティ情報追加手段を更に備えることを特徴とする請求項４記載のセキュリティ印刷を制御するコンピュータ。
【請求項６】
前記判断手段の判断結果に基づいて、出力先の画像形成装置を選択するための出力先リストを表示部に表示する表示制御手段を更に含み、
前記表示制御手段は、前記判断手段で前記セキュリティ機能を画像形成装置が備えていないと判断された場合に、前記セキュリティ機能を備えていない画像形成装置を前記出力先リストから除外し、前記セキュリティ機能を備えている画像形成装置を前記出力先リストに表示することを特徴とする請求項４記載のセキュリティ印刷を制御するコンピュータ。
【請求項７】
複数の画像形成装置と通信可能なセキュリティ印刷を制御するコンピュータで読み取り可能な印刷制御プログラムを格納した記憶媒体であって、
前記複数の画像形成装置の機器情報を取得して、固有のパターン情報を付加画像として原画像に付加して印刷するセキュリティ機能を画像形成装置が備えているか判断する判断工程と、
前記判断工程で前記セキュリティ機能を画像形成装置が備えていると判断された場合に、当該画像形成装置で印刷すべき原画像の印刷データを生成する印刷データ生成工程とを含むことを特徴とするコンピュータで読み取り可能な印刷制御プログラムを格納した記憶媒体。
【請求項８】
前記印刷データ生成工程は、前記判断工程で前記セキュリティ機能を画像形成装置が備えていないと判断された場合に、該印刷制御プログラムであるプリンタドライバを用いて原画像に前記固有のパターン情報であるセキュリティ情報の追加を行うセキュリティ情報追加工程を更に含むことを特徴とする請求項７記載のコンピュータで読み取り可能な印刷制御プログラムを格納した記憶媒体。
【請求項９】
前記判断工程の判断結果に基づいて、出力先の画像形成装置を選択するための出力先リストを表示する表示工程を更に含み、
前記表示工程は、前記判断工程で前記セキュリティ機能を画像形成装置が備えていないと判断された場合に、前記セキュリティ機能を備えていない画像形成装置を前記出力先リストから除外し、前記セキュリティ機能を備えている画像形成装置を前記出力先リストに表示することを特徴とする請求項７記載のコンピュータで読み取り可能な印刷制御プログラムを格納した記憶媒体。
【手続補正３】
【補正対象書類名】明細書
【補正対象項目名】０００４
【補正方法】変更
【補正の内容】
【０００４】
【課題を解決するための手段】
そこで、本発明の複数の画像形成装置と通信可能なセキュリティ印刷を制御するコンピュータにおける印刷制御方法は、前記複数の画像形成装置の機器情報を取得して、固有のパターン情報を付加画像として原画像に付加して印刷するセキュリティ機能を画像形成装置が備えているか判断する判断工程と、前記判断工程で前記セキュリティ機能を画像形成装置が備えていると判断された場合に、当該画像形成装置で印刷すべき原画像の印刷データを生成する印刷データ生成工程とを含むことを特徴とする。
また、前記印刷データ生成工程は、前記判断工程で前記セキュリティ機能を画像形成装置が備えていないと判断された場合に、プリンタドライバを用いて原画像に前記固有のパターン情報であるセキュリティ情報の追加を行うセキュリティ情報追加工程を更に含むことを特徴とする。
また、前記判断工程の判断結果に基づいて、出力先の画像形成装置を選択するための出力先リストを表示する表示工程を更に含み、前記表示工程は、前記判断工程で前記セキュリティ機能を画像形成装置が備えていないと判断された場合に、前記セキュリティ機能を備えていない画像形成装置を前記出力先リストから除外し、前記セキュリティ機能を備えている画像形成装置を前記出力先リストに表示することを特徴とする。
【手続補正４】
【補正対象書類名】明細書
【補正対象項目名】０００５
【補正方法】変更
【補正の内容】
【０００５】
本願のその他の発明は、上記印刷制御方法の構成を実現するコンピュータ及び上記印刷制御方法の各工程をコンピュータに実行させるための印刷制御プログラムを格納した記憶媒体により解決する。
【手続補正５】
【補正対象書類名】明細書
【補正対象項目名】００４５
【補正方法】変更
【補正の内容】
【００４５】
以上説明したように、上記第１の実施形態によれば、コンピュータと画像形成装置において、画像形成装置に犯罪防止のためのセキュリティ機能を備え、該セキュリティ機能を持っていることを示す手段、及びコンピュータに該画像形成装置が該形成画像を作成可能か否かを確認する手段と、該形成画像を作成不可の場合、情報を転送することを中止する手段を備えることで、画像形成装置がセキュリティ機能を持つ場合にのみ、該画像形成装置に対してのみに、報転送を行うことが可能となり、セキュリティ機能を持たない画像形成装置に対する情報の流出を防ぐことが可能となる。
【手続補正６】
【補正対象書類名】明細書
【補正対象項目名】００４６
【補正方法】変更
【補正の内容】
【００４６】
また、上記第２の実施形態によれば、コンピュータと画像形成装置において、該画像形成装置が画像形成時に犯罪防止を目的とするセキュリティ機能を持っているか確認する手段と、転送する情報の種別を特定する手段と、転送する情報が画像の場合、該画像に犯罪防止を目的とするセキュリティ情報を添付する手段を備えることで、画像形成装置がセキュリティ機能を持たない場合、セキュリティ情報を情報に付加して情報転送を行うことが可能となり、セキュリティ機能を持たない画像形成装置に対しても、セキュリティ情報を付加した情報を転送でき、情報の提供が可能となる。
【発明の効果】
以上説明したように、本発明のセキュリティ印刷を制御するコンピュータ及び印刷制御方法及び印刷制御プログラムを格納した記憶媒体によれば、画像形成装置から出力される画像はセキュリティ情報を持つこととなり、不正コピーや不正なデータの流出防止を促進することが可能となる。